【手続補正書】
【提出日】平成18年6月9日(2006.6.9)
【手続補正１】
【補正対象書類名】特許請求の範囲
【補正対象項目名】全文
【補正方法】変更
【補正の内容】
【特許請求の範囲】
【請求項１】
ファイルに基づいて複数種類の印刷設定のされた印刷データを生成する情報処理装置であって、
前記複数種類の印刷設定に対応する複数の印刷設定アイコン及び前記ファイルに対応するファイルアイコンを表示する表示手段と、
前記ファイルアイコンの移動指示を入力する移動指示入力手段と、
前記移動指示入力手段が入力する移動指示により移動する前記ファイルアイコンが、前記複数の印刷設定アイコンのいずれかを通過したことを検知する検知手段と、
前記ファイルに対して、前記検知手段が通過を検知した印刷設定アイコンに対応する印刷設定をする設定手段と、
前記設定手段が印刷設定したファイルを印刷装置に送信する送信手段と、
を有することを特徴とする情報処理装置。
【請求項２】
前記設定手段は、前記入力手段が前記ファイルアイコンの移動指示を解除したことに応じて、前記移動指示が解除される以前に前記ファイルアイコンが通過したと前記検知手段が検知した印刷設定アイコンに対応する印刷設定をすることを特徴とする請求項１に記載の情報処理装置。
【請求項３】
前記表示手段は、前記検知手段が前記複数の印刷設定アイコンのいずれかを通過したことを検知したことに応じて、前記通過した印刷設定アイコンに関する情報を表示することを特徴とする請求項１又は２のいずれかに記載の情報処理装置。
【請求項４】
前記表示手段は、前記ファイルアイコンが前記複数の印刷設定アイコンのうち第１の印刷設定アイコンの通過を前記検知手段が検知したことに応じて、前記第１の印刷設定アイコンに対応する印刷設定と共に設定することができない印刷設定にかかる第２の印刷設定アイコンの表示状態を異ならせることを特徴とする請求項１乃至３のいずれかに記載の情報処理装置。
【請求項５】
前記設定手段は、前記検知手段が、前記ファイルアイコンが前記複数の印刷設定アイコンのうち前記第１の印刷設定アイコンの通過を検知した後に前記ファイルアイコンの前記第２の印刷設定アイコンの通過を検知した場合、前記第２の印刷設定アイコンに対応する印刷設定をしないことを特徴とする請求項４に記載の情報処理装置。
【請求項６】
前記設定手段は、前記検知手段が、前記ファイルアイコンが前記複数の印刷設定アイコンのうち前記第１の印刷設定アイコンの通過を検知した後、更に前記第１の印刷設定アイコンの通過を検知した場合は、前記第１の印刷設定アイコンに対応する印刷設定をしないことを特徴とする請求項４に記載の情報処理装置。
【請求項７】
前記ファイルアイコンが前記複数の印刷設定アイコンのいずれかを通過中に、分岐指示を行う分岐指示入力手段を有し、
前記設定手段は、前記分岐指示が入力される前に前記ファイルアイコンが通過したことを前記検知手段が検知している印刷設定アイコンに対応する第１の印刷設定をするとともに、前記分岐指示が入力された後に前記ファイルアイコンが通過したことを前記検知手段が検知している印刷設定アイコンに対応する第２の印刷設定をすることを特徴とする請求項１乃至６のいずれかに記載の情報処理装置。
【請求項８】
ファイルに対して複数種類の印刷設定をする印刷システムであって、
前記複数種類の印刷設定に対応する複数の印刷設定アイコン及び前記ファイルに対応するファイルアイコンを表示する表示手段と、
前記ファイルアイコンの移動指示を入力する移動指示入力手段と、
前記移動指示入力手段が入力する移動指示により移動する前記ファイルアイコンが、前記複数の印刷設定アイコンのいずれかを通過したことを検知する検知手段と、
前記ファイルに対して、前記検知手段が通過を検知した印刷設定アイコンに対応する印刷設定をする設定手段と、
前記設定手段が印刷設定したファイルに基づいて、印刷処理を実行する印刷手段と、
を有することを特徴とする印刷システム。
【請求項９】
前記設定手段は、前記入力手段が前記ファイルアイコンの移動指示を解除したことに応じて、前記移動指示が解除される以前に前記ファイルアイコンが通過したと前記検知手段が検知した印刷設定アイコンに対応する印刷設定をすることを特徴とする請求項８に記載の印刷システム。
【請求項１０】
前記表示手段は、前記検知手段が前記複数の印刷設定アイコンのいずれかを通過したことを検知したことに応じて、前記通過した印刷設定アイコンに関する情報を表示することを特徴とする請求項８又は９のいずれかに記載の印刷システム。
【請求項１１】
前記表示手段は、前記ファイルアイコンが前記複数の印刷設定アイコンのうち第１の印刷設定アイコンの通過を前記検知手段が検知したことに応じて、前記第１の印刷設定アイコンに対応する印刷設定と共に設定することができない印刷設定にかかる第２の印刷設定アイコンの表示状態を異ならせることを特徴とする請求項８乃至１０のいずれかに記載の印刷システム。
【請求項１２】
前記設定手段は、前記検知手段が、前記ファイルアイコンが前記複数の印刷設定アイコンのうち前記第１の印刷設定アイコンの通過を検知した後に前記ファイルアイコンの前記第２の印刷設定アイコンの通過を検知した場合、前記第２の印刷設定アイコンに対応する印刷設定をしないことを特徴とする請求項１１に記載の印刷システム。
【請求項１３】
前記設定手段は、前記検知手段が、前記ファイルアイコンが前記複数の印刷設定アイコンのうち前記第１の印刷設定アイコンの通過を検知した後、更に前記第１の印刷設定アイコンの通過を検知した場合は、前記第１の印刷設定アイコンに対応する印刷設定をしないことを特徴とする請求項１１に記載の印刷システム。
【請求項１４】
前記ファイルアイコンが前記複数の印刷設定アイコンのいずれかを通過中に、分岐指示を行う分岐指示入力手段を有し、
前記設定手段は、前記分岐指示が入力される前に前記ファイルアイコンが通過したことを前記検知手段が検知している印刷設定アイコンに対応する第１の印刷設定をするとともに、前記分岐指示が入力された後に前記ファイルアイコンが通過したことを前記検知手段が検知している印刷設定アイコンに対応する第２の印刷設定をすることを特徴とする請求項８乃至１３のいずれかに記載の印刷システム。
【請求項１５】
ファイルに対して複数種類の印刷設定をする情報処理方法であって、
前記複数種類の印刷設定に対応する複数の印刷設定アイコン及び前記ファイルに対応するファイルアイコンを表示する表示ステップと、
前記ファイルアイコンの移動指示を入力する移動指示入力ステップと、
前記移動指示入力ステップが入力する移動指示により移動する前記ファイルアイコンが、前記複数の印刷設定アイコンのいずれかを通過したことを検知する検知ステップと、
前記ファイルに対して、前記検知ステップが通過を検知した印刷設定アイコンに対応する印刷設定をする設定ステップと、
前記設定ステップにて印刷設定がされたファイルを印刷装置に送信する送信ステップと、
を有することを特徴とする情報処理方法。
【請求項１６】
ファイルに対して複数種類の印刷設定をする印刷方法であって、
前記複数種類の印刷設定に対応する複数の印刷設定アイコン及び前記ファイルに対応するファイルアイコンを表示する表示ステップと、
前記ファイルアイコンの移動指示を入力する移動指示入力ステップと、
前記移動指示入力ステップにて入力される移動指示により移動する前記ファイルアイコンが、前記複数の印刷設定アイコンのいずれかを通過したことを検知する検知ステップと、
前記ファイルに基づいて、前記検知ステップが通過を検知した印刷設定アイコンに対応する印刷設定をする設定ステップと、
前記設定ステップが設定した印刷設定に基づいて、印刷処理を実行する印刷ステップと、
を有することを特徴とする印刷方法。
【手続補正２】
【補正対象書類名】明細書
【補正対象項目名】発明の名称
【補正方法】変更
【補正の内容】
【発明の名称】情報処理装置、印刷システム、情報処理方法、印刷方法
【手続補正３】
【補正対象書類名】明細書
【補正対象項目名】０００１
【補正方法】変更
【補正の内容】
【０００１】
本発明は、情報処理装置並びに印刷システムのデータ処理に関する。
【手続補正４】
【補正対象書類名】明細書
【補正対象項目名】０００８
【補正方法】変更
【補正の内容】
【０００８】
本発明は、上記の問題点を解消するためになされたもので、表示されるファイルアイコンを複数の印刷設定アイコン上を移動指示して通過させることにより、通過した印刷設定アイコンに対応する印刷設定をすることできる仕組みを提供することである。
【手続補正５】
【補正対象書類名】明細書
【補正対象項目名】０００９
【補正方法】変更
【補正の内容】
【０００９】
本発明に係る情報処理装置は、以下の特徴的構成を備える。
ファイルに基づいて複数種類の印刷設定のされた印刷データを生成する情報処理装置であって、前記複数種類の印刷設定に対応する複数の印刷設定アイコン及び前記ファイルに対応するファイルアイコンを表示する表示手段と、前記ファイルアイコンの移動指示を入力する移動指示入力手段と、前記移動指示入力手段が入力する移動指示により移動する前記ファイルアイコンが、前記複数の印刷設定アイコンのいずれかを通過したことを検知する検知手段と、前記ファイルに対して、前記検知手段が通過を検知した印刷設定アイコンに対応する印刷設定をする設定手段と、前記設定手段が印刷設定したファイルを印刷装置に送信する送信手段と、
を有することを特徴とする。
【手続補正６】
【補正対象書類名】明細書
【補正対象項目名】００１０
【補正方法】変更
【補正の内容】
【００１０】
本発明に係る印刷システムは、以下の特徴的構成を備える。
ファイルに対して複数種類の印刷設定のされた印刷データを生成する印刷システムであって、前記複数種類の印刷設定に対応する複数の印刷設定アイコン及び前記ファイルに対応するファイルアイコンを表示する表示手段と、前記ファイルアイコンの移動指示を入力する移動指示入力手段と、前記移動指示入力手段が入力する移動指示により移動する前記ファイルアイコンが、前記複数の印刷設定アイコンのいずれかを通過したことを検知する検知手段と、前記ファイルに対して、前記検知手段が通過を検知した印刷設定アイコンに対応する印刷設定をする設定手段と、前記設定手段が印刷したファイルに基づいて、印刷処理を実行する印刷手段とを有することを特徴とする。
【手続補正７】
【補正対象書類名】明細書
【補正対象項目名】００１１
【補正方法】変更
【補正の内容】
【００１１】
本発明に係る情報処理方法は、以下の特徴的構成を備える。
ファイルに対して複数種類の印刷設定をする情報処理方法であって、前記複数種類の印刷設定に対応する複数の印刷設定アイコン及び前記ファイルに対応するファイルアイコンを表示する表示ステップと、前記ファイルアイコンの移動指示を入力する移動指示入力ステップと、前記移動指示入力ステップが入力する移動指示により移動する前記ファイルアイコンが、前記複数の印刷設定アイコンのいずれかを通過したことを検知する検知ステップと、前記ファイルに対して、前記検知ステップが通過を検知した印刷設定アイコンに対応する印刷設定をする設定ステップと、前記設定ステップにて印刷設定がされたファイルを印刷装置に送信する送信ステップとを有することを特徴とする。
【手続補正８】
【補正対象書類名】明細書
【補正対象項目名】００１２
【補正方法】変更
【補正の内容】
【００１２】
本発明に係る印刷方法は、以下の特徴的構成を備える。
ファイルに対して複数種類の印刷設定をする印刷方法であって、前記複数種類の印刷設定に対応する複数の印刷設定アイコン及び前記ファイルに対応するファイルアイコンを表示する表示ステップと、前記ファイルアイコンの移動指示を入力する移動指示入力ステップと、前記移動指示入力ステップにて入力される移動指示により移動する前記ファイルアイコンが、前記複数の印刷設定アイコンのいずれかを通過したことを検知する検知ステップと、前記ファイルに基づいて、前記検知ステップが通過を検知した印刷設定アイコンに対応する印刷設定をする設定ステップと、前記設定ステップが生成した印刷設定に基づいて、印刷処理を実行する印刷ステップとを有することを特徴とする。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】変更
【補正の内容】
【００２４】
以上説明したように、本発明によれば、表示されるファイルアイコンを複数の印刷設定アイコン上を移動指示して通過させることにより、通過した印刷設定アイコンに対応する印刷設定をすることができる。